(57)【要約】【課題】効果的に加温するだけでなく、ウエットティッシュ群収容部内のウエットティッシュの変質等を防ぐと共に、加温されたウエットティッシュの使用場所が、ウエットティッシュ加温器の設置場所に限定されないウエットティッシュ加温器を提供すること。【解決手段】少なくとも、ウエットティッシュ群収容部３００に収容されたウエットティッシュを加温するための加温部１２１を有し、前記加温部が、ウエットティッシュ群収容部を載置するよう外気に対して開放状態で配置されており、加温時に前記ウエットティッシュ群収容部によって実質的に覆われる構成となっているウエットティッシュ加温器１００。【選択図】  図１
2004173860.tif 000002
【特許請求の範囲】
【請求項１】
少なくとも、ウエットティッシュ群収容部に収容されたウエットティッシュを加温するための加温部を有するウエットティッシュ加温器であって、
前記加温部が、ウエットティッシュ群収容部を載置するよう外気に対して開放状態で配置されており、
加温時に前記ウエットティッシュ群収容部によって実質的に覆われる構成となっていることを特徴とするウエットティッシュ加温器。
【請求項２】
少なくとも、前記ウエットティッシュ群収容部内のウエットティッシュを取り出すためのウエットティッシュ取り出し部に対し開閉可能に配置される蓋体と、
前記蓋体を保持するための蓋体保持部と、
前記蓋体保持部を前記ウエットティッシュ群収容部に対して押さえ付けるための蓋体保持部押圧手段と、を有する蓋部と、
前記加温部には、少なくとも、前記蓋部の前記蓋体及び／又は蓋体保持部を配置するための蓋体配置用凹部が形成されていることを特徴とする請求項１に記載のウエットティッシュ加温器。
【請求項３】
前記蓋体及び／又は前記蓋体保持部には、蓄熱材料が配置されていることを特徴とする請求項２に記載のウエットティッシュ加温器。
【請求項４】
前記蓋体配置用凹部には、前記蓋体及び／又は蓋体保持部を係合するための係合手段が配置され、
この係合手段による前記蓋体及び／又は蓋体保持部との係合を、少なくとも開放させるための開放手段が配置され、
この開放手段がスイッチ手段と連携されていることを特徴とする請求項２又は請求項３に記載のウエットティッシュ加温器。
【請求項５】
前記加温部がウエットティッシュ加温器本体に形成され、
前記ウエットティッシュ加温器本体には、前記ウエットティッシュ取り出し部を前記加温部に押し付けるためのウエットティッシュ群収容部押圧手段が形成され、
このウエットティッシュ群収容部押圧手段が前記載置加温部を覆うことができる構成となっていることを特徴とする請求項１に記載のウエットティッシュ加温器。
【発明の詳細な説明】
【０００１】
【発明の属する技術分野】
本発明は、ウエットティッシュ群収容部に収容されたウエットティッシュを加温するためのウエットティッシュ加温器に関するものである。
【０００２】
【従来の技術】
例えば、乳幼児に対してウエットティッシュを用いる場合に、ウエットティッシュが冷たいと、その冷たさのため乳幼児がウエットティッシュを嫌がり、乳幼児に対して上手にウエットティッシュを使うことが出来ない場合があった。
このため、ウエットティッシュを温めるためウエットティッシュ用ウォーマーが用いられている（例えば、特許文献１参照）。
このウエットティッシュ用ウォーマーは、ウエットティッシュを多数収容するウエットティッシュ詰替容器を、その内部に配置させて加温器で温める構造のものである。
【０００３】
【特許文献１】
特開２０００−３３３８７１号公報
【０００４】
【発明が解決しようとする課題】
このようなウエットティッシュ用ウォーマーは、その加温器が内部に配置されるので、直近の使用に係るウエットティッシュ、すなわち、ウエットティッシュ用ウォーマーの開口の近くに配置されているウエットティッシュを加温していた場合でも、ウエットティッシュ用ウォーマー内の雰囲気温度が高まってしまい、すべてのウエットティッシュが加温されてしまうこととなる。このため、ウエットティッシュの乾燥等が生じ、これによる黄変等の変質が生じ問題となっていた。
また、特許文献１に示すように、ウエットティッシュ用ウォーマーには、電源コードやプラグ等が設けられ、これら電源コード等を介し加温器に電力が供給されている。
【０００５】
そして、ウエットティッシュ詰替容器は、ウエットティッシュ用ウォーマー内に収容された状態で加温され、そして使用者によって引き出される構成であるため、ウエットティッシュ用ウォーマーを必ず、コンセント等にプラグが差し込める範囲、すなわち電源コード等の長さに範囲内に配置する必要があり、ウエットティッシュ用ウォーマーの設置場所が限定されていた。
したがって、加温されたウエットティッシュ詰替容器の実際使用する場所がウエットティッシュ用ウォーマーの設置場所の範囲内に含まれないときは、ウエットティッシュ用ウォーマーを使用しにくいという問題があった。
【０００６】
本発明は、以上の点に鑑み、ウエットティッシュ群収容部内のウエットティッシュの変質等を防ぐと共に、加温されたウエットティッシュの使用場所が、ウエットティッシュ加温器の設置場所に限定されないウエットティッシュ加温器を提供することを目的とする。
【０００７】
【課題を解決するための手段】
前記目的は、請求項１の発明によれば、少なくとも、ウエットティッシュ群収容部に収容されたウエットティッシュを加温するための加温部を有するウエットティッシュ加温器であって、前記加温部が、ウエットティッシュ群収容部を載置するよう外気に対して開放状態で配置されており、加温時に前記ウエットティッシュ群収容部によって実質的に覆われる構成となっていることを特徴とするウエットティッシュ加温器により達成される。
【０００８】
請求項１の構成によれば、前記加温部が、外気に対して開放状態で配置されているので、前記加温部の熱が籠もるもとなく、前記ウエットティッシュが熱により変質等し難い構成となっている。
そして、前記加温部の上に前記ウエットティッシュ群収容部が配置されるため、ウエットティッシュ群収容部が確実に加温部に接触すると共に、熱が効果的に伝わるためウエットティッシュを適切に加温することができる。
また、加温された前記ウエットティッシュ群収容部を容易にウエットティッシュ加温器から外して、持ち運ぶことができるので、ウエットティッシュの使用場所が、前記ウエットティッシュ加温器の設置場所に限定されない。
さらに、加温している際に加温部がウエットティッシュ群収容部によって覆われるため、誤って加温部に身体が触れる危険がない。
【０００９】
好ましくは、請求項２の発明によれば、請求項１の構成において、少なくとも、前記ウエットティッシュ群収容部内のウエットティッシュを取り出すためのウエットティッシュ取り出し部に対し開閉可能に配置される蓋体と、前記蓋体を保持するための蓋体保持部と、前記蓋体保持部を前記ウエットティッシュ群収容部に対して押さえ付けるための蓋体保持部押圧手段と、を有する蓋部と、前記加温部には、少なくとも、前記蓋部の前記蓋体及び／又は蓋体保持部を配置するための蓋体配置用凹部が形成されていることを特徴とするウエットティッシュ加温器である。
【００１０】
請求項２の構成によれば、少なくとも、前記ウエットティッシュ群収容部内のウエットティッシュを取り出すためのウエットティッシュ取り出し部に対し開閉可能に蓋体が配置されているので、ウエットティッシュ取り出し部に配置されているウエットティッシュ等が、外気と触れて乾燥等するのを未然に防ぐことができる。
また、前記蓋体保持部押圧手段によって、前記蓋体保持部を前記ウエットティッシュ群収容部に対して押さえ付けるので、前記蓋体保持部によって保持されている蓋体が、よりウエットティッシュ取り出し部のウエットティッシュに近づけて配置される。
そして、前記加温部には、少なくとも、前記蓋部の前記蓋体及び／又は蓋体保持部を配置するための蓋体配置用凹部が形成されているので、ウエットティッシュに近づけて配置されている前記蓋体を前記蓋体配置用凹部に配置することで、効率よくウエットティッシュを加温することができる。
【００１１】
好ましくは、請求項３の発明によれば、請求項２の構成において、前記蓋体及び／又は前記蓋体保持部には、蓄熱材料が配置されていることを特徴とするウエットティッシュ加温器である。
【００１２】
請求項３の構成によれば、前記蓋体及び／又は前記蓋体保持部には、蓄熱材料が配置されているので、前記載置加温部で加温された蓋体の熱が前記蓄熱材料に吸収される。このため、前記ウエットティッシュ加温器から取り外したウエットティッシュ群収容部は蓄熱された熱で保温され、冷めにくくなる。
【００１３】
好ましくは、請求項４の発明によれば、請求項２又は請求項３の構成において、前記蓋体配置用凹部には、前記蓋体及び／又は蓋体保持部を係合するための係合手段が配置され、この係合手段による前記蓋体及び／又は蓋体保持部との係合を、少なくとも開放させるための開放手段が配置され、この開放手段がスイッチ手段と連携されていることを特徴とするウエットティッシュ加温器である。
【００１４】
請求項４の構成によれば、前記蓋体配置用凹部には、前記蓋体及び／又は蓋体保持部を係合するための係合手段が配置されているので、前記蓋体は確実に前記蓋体配置用凹部に配置され、確実に加温されることになる。
また、この係合手段による前記蓋体及び／又は蓋体保持部との係合を、少なくとも開放させるための開放手段が配置されているので、前記蓋体を前記蓋体配置用凹部から容易に取り外すことができる。
また、前記開放手段が、スイッチ手段と連携されているので、例えば前記蓋体が前記蓋体配置用凹部から取り外された際に、前記加温部を非加温状態等に直ちに切り替えることができるので、ウエットティッシュ群収容部を取り外したことで、露出した前記加温部による火傷等を未然に防止することができる。
【００１５】
好ましくは、請求項５の発明によれば、請求項１の構成において、前記加温部がウエットティッシュ加温器本体に形成され、前記ウエットティッシュ加温器本体には、前記ウエットティッシュ取り出し部を前記加温部に押し付けるためのウエットティッシュ群収容部押圧手段が形成され、このウエットティッシュ群収容部押圧手段が前記載置加温部を覆うことができる構成となっていることを特徴とするウエットティッシュ加温器である。
【００１６】
請求項５の構成によれば、前記加温部がウエットティッシュ加温器本体に形成され、前記ウエットティッシュ加温器本体には、前記ウエットティッシュ取り出し部を前記加温部に押し付けるためのウエットティッシュ群収容部押圧手段が形成されているので、前記ウエットティッシュ群収容部を前記加温部に押し付けることができる。このため、効率的に加温を行うことができる。
また、前記ウエットティッシュ群収容部押圧手段が前記加温部を覆うことができる構成となっているので、前記ウエットティッシュ群収容部を取り外した状態では、このウエットティッシュ群収容部押圧手段で前記加温部を覆うことができる。このため、露出した前記加温部による火傷等をより確実に防止することができる。
【００１７】
【発明の実施の形態】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１８】
（第１の実施の形態）
図１は、本発明の第１の実施の形態に係る、ウエットティッシュ加温器である例えばナップウォーマー１００を示す概略斜視図である。図２は、図１のナップウォーマー１００の蓋部２００を示す概略斜視図である。
図１に示すように、ナップウォーマー１００は、ナップウォーマー本体１１０を有している。また、ナップウォーマー１００は、蓋部２００を有し、この蓋部は、ウエットティッシュ群収容部である例えばウエットティッシュ詰替容器３００を挟み込むように挟持されている。
図３は、ウエットティッシュ詰替容器３００を示す概略斜視図である。図３に示すように、ウエットティッシュ詰替容器３００には、ウエットティッシュを取り出すためのウエットティッシュ取り出し部である例えばウエットティッシュ取り出し口３１０が形成されている。
【００１９】
そして、このウエットティッシュ詰替容器３００が、図１又は図２に示すように蓋部２００によって挟持されるが、具体的には、ウエットティッシュ詰替容器３００のウエットティッシュ取り出し口３１０に対して配置されるように、蓋体２１０が位置される。
この蓋体２１０は、開閉可能に配置される例えば開閉蓋２１１を有していると共に、ウエットティッシュを取り出すための蓋側取り出し口２１２ａと、開閉蓋２１１を開く際の指かかりとなる、つまみ２１２ｂを有している。
蓋側取り出し口２１２ａは、図１の破線で示すような形状を成し、ウエットティッシュを引き出すときに、複数枚のウエットティッシュが連続しての引き出されてしまう現象が生じず、次に使用するウエットティッシュの先端が蓋側取り出し口２１２ａに保持される構成となっている。
【００２０】
また、蓋部２００は、この蓋体２１０を保持するための例えば上側蓋体保持部２２０を有していると共に、図２に示すように均等にウエットティッシュ詰替容器３００を保持するための板状の下側蓋体保持部２３０も有している。
このため、これら上側蓋体保持部２２０と下側蓋体保持部２３０とで、図１に示すようにウエットティッシュ詰替容器３００を挟持する構成となっている。
これら蓋体２１０、上側蓋体保持部２２０は、熱伝導を妨げないよう例えばポリプロピレンやＡＢＳ樹脂、アルミニウム等から形成されている。
【００２１】
また、これら上側蓋体保持部２２０と下側蓋体保持部２３０を図３のウエットティッシュ詰替容器３００に対して押さえ付けるための蓋体保持部押圧手段である例えばベルト部２４０が例えば２本配置されている。
このベルト部２４０は、例えばゴムを使用した伸縮バンド等の弾性体等より成り、伸縮自在な構成となっている。
したがって、図１に示すように、ウエットティッシュ詰替容器３００のウエットティッシュ取り出し口３１０に対し、蓋体２１０が開閉可能に配置されているので、ウエットティッシュ取り出し口３１０と蓋側取り出し口２１２ａとに配置されているウエットティッシュが外気に触れて乾燥することを未然に防止することができる。
【００２２】
また、図１のベルト部２４０によって、上側蓋体保持部２２０及び下側蓋体保持部２３０をウエットティッシュ詰替容器３００に対して押さえ付けるので、蓋部２００とウエットティッシュ詰替容器３００の相対位置がずれることなく、上側蓋体保持部２２０に保持されている蓋体２１０が、より確実にウエットティッシュ詰替容器３００のウエットティッシュ取り出し口３１０に近づけて配置される。
すなわち、図１の蓋体２１０の蓋基部２１２に形成されている蓋側取り出し口２１２ａが、ウエットティッシュ取り出し口３１０により押し付けられて配置される。
なお、ベルト部２４０を伸縮バンド等の弾性体ではなく、面状の結合テープ等を使用して、使用者によって長さを調整可能としたものでもよい。
また、上側蓋保持部２２０と、ベルト部２４０のみで蓋部２００を構成してもよい。
さらに、蓋体２１１を大きく形成し、上側蓋体保持部２２０と略同等の大きさとしてもよい。
【００２３】
一方、ナップウォーマー本体１１０には、図１に示すように、蓋部２００の蓋体２１０を配置するための蓋体配置用凹部１２０が凹状に形成されている。
この蓋体配置用凹部１２０の底面には、加温部１２１が外気に対して開放状態で配置され、露出している。
この加温部１２１は、後述するように、隣接して配置される加熱プレート１５１を介してヒータ１５０と接続され、加温される構成となっている。
また、図１の蓋体配置用凹部１２０の周囲には、上側蓋体保持部２２０を配置するための蓋体保持用凹部である例えば上側蓋体保持用凹部１３０が形成されている。
この上側蓋体保持用凹部１３０の底面にも、同様にヒータ１５０や加熱プレート１５１が配置されていることに伴い、加温部１２１が形成されている。
【００２４】
このように構成されているナップウォーマー本体１１０に対して、蓋部２００で挟持されたウエットティッシュ詰替容器３００をセットし、加温する。
具体的には、図１の蓋体２１０をナップウォーマー本体１１０の蓋体配置用凹部１２０内に装着すると同時に、上側蓋体保持部用凹部１３０内に上側蓋体保持部用凹部１３０を載置して、実質的に加温部１２１をウエットティッシュ詰替容器３００で覆うよう配置する。
すると、蓋体２１０は加温部１２１によって加温され、この蓋体２１０の内側もしくは蓋体２１０に近接して配置されているウエットティッシュも効果的に温めることができる。
すなわち、ウエットティッシュ詰替容器３００のウエットティッシュ取り出し口３１０に近接した位置にある直近の使用にかかるウエットティッシュのみを効果的に温めることができる。
また、加温部１２１の上方に加温されるウエットティッシュを配置することになり、効率的に加温することができる。
【００２５】
さらに、この加温部１２１は、外気に対して開放状態で配置されているので、加温部１２１の熱が籠もることない。このため、ウエットティッシュ詰替容器３００内のウエットティッシュが乾燥等して黄変等の変質が生じることないナップウォーマー１００と成っている。
【００２６】
また、蓋体２１０は、ナップウォーマー本体１１０の蓋体配置用凹部１２０内に、上側蓋体保持部２２０は、上側蓋体保持用凹部１３０内に配置されるので、位置決めできると共に、ウエットティッシュ詰替容器３００のウエットティッシュ取り出し口３１０のウエットティッシュに近づけて配置されている蓋体２１０を含む上側蓋体保持部２２０全体を、より効率よく加温でき、これによりウエットティッシュも効率よく加温できることになる。
【００２７】
ところで、図１に示すように、ナップウォーマー本体１１０には、加温部１２１を加熱する電力を供給する電源コード１４０及び電源プラグ１４１が設けられている。
この電源コード１４０は、通常、１００ｃｍ程度であり、長くても１８０ｃｍであるので、コンセントの場所から半径１００ｃｍや１８０ｃｍ内でのみナップウォーマー本体１１０を配置でき、その範囲外やコンセントがない場所では、ナップウォーマー本体１１０を置いて使用することができず、取り出したウエットティッシュを離れた場所で使用すると冷めてしまう。
【００２８】
しかし、本実施の形態のナップウォーマー１００では、ナップウォーマー本体１１０にウエットティッシュ詰替容器３００を挟持した蓋部２００が配置され、加温された後、このウエットティッシュ詰替容器３００を蓋部２００と共に、ナップウォーマー本体１１０から取り外すことで、実際にウエットティッシュを使用する場所まで加温されたウエットティッシュ詰替容器３００を持ち運び、ウエットティッシュを使用することができる。
【００２９】
したがって、ウエットティッシュ使用場所が、ナップウォーマー本体１１０の配置可能場所の外、すなわち電源コード１４０が届かない場所であっても、加温されたウエットティッシュを使用することができるので、従来と異なりウエットティッシュの使用場所がナップウォーマー本体１１０の設置場所に限定されない。
【００３０】
図４は、図１のナップウォーマー本体１１０に蓋部２００により挟持されたウエットティッシュ詰替容器３００を装着した状態を示す概略断面図である。
具体的には、図４は、図１の蓋部２００の蓋体２１０をナップウォーマー本体１１０の蓋体配置用凹部１２０に配置させた状態を示す概略斜視図である。
図４に示すように、蓋体２１０の蓋基部２１２と上側蓋体保持部２２０との間には、蓄熱材料である例えば蓄熱ゲル等から成る蓄熱体２３１が配置されている。
ところで、図１に示す加温部１２１は、図４に示す加熱プレート１５１を介しヒータ１５０により加温される構成となっている。
この加温部１２１に当接して配置される蓋体２１０の開閉蓋２１１や、上側蓋体保持部２２０は、直接加温部１２１により温められると共に、その熱は蓋基部２１２を介して蓄熱体２３１に達し、蓄熱体２３１に熱が吸収、保持されて、ウエットティッシュを加温する。
【００３１】
すなわち、蓄熱体２３１に熱を吸収した状態で、蓋部２００をウエットティッシュ詰替容器３００と共に、ナップウォーマー本体１１０から取り外すと、ウエットティッシュ詰替容器３００の、特にウエットティッシュ取り出し口３１０及びその近傍のウエットティッシュは蓄熱体２３１の熱で温められ保温された状態を維持できることとなる。
このため、ナップウォーマー本体１１０から外された状態で、しばらく放置されても、ウエットティッシュ詰替容器３００の直近の使用にかかるウエットティッシュは、冷め難く、温かい状態で使用できる。
したがって、ウエットティッシュの使用場所と、ナップウォーマー本体１１０の設置場所が異なっていても、温かいウエットティッシュを使用でき、ナップウォーマー本体１１０の設置場所に限定されないナップウォーマー１００となる。
【００３２】
また、図１及び図４に示すように、蓋体配置用凹部１２０には、蓋体２１０を係合するための係合手段である例えば本体側凸部１２２が２箇所形成されている。
一方、図４に示すように、蓋体２１０には、この本体側凸部１２２と係合するための蓋側凸部を兼ねる開閉蓋２１１のヒンジ部２１３と、つまみ２１２ｂが形成されている。
したがって、このヒンジ部２１３とつまみ２１２ｂを本体側凸部１２２と係合させる、具体的には図４に示すように、ヒンジ部２１３とつまみ２１２ｂが本体側凸部１２２を乗り越して、その下側に配置されることで、蓋体２１０を含む蓋部２００は、確実に蓋体配置用凹部１２０内に配置され、加温部１２１に当接し、加温部１２１によって加温されることになる。
【００３３】
図５（ａ）は、ナップウォーマー本体１１０から蓋部２００を取り外す状態を示す概略断面図である。
図５（ａ）に示すように、ナップウォーマー本体１１０には、ヒンジ部２１３と本体側凸部１２２との係合を開放等するための開放手段である例えば脱着装置１６０が設けられている。
具体的には、操作者が操作ボタン１６１（図１及び図５（ａ）参照）を押すと、操作ボタン１６１が図において下側に移動する。すると、この操作ボタン１６１と接続されている、跳ね上げ部１６３が図において上側に移動し、この際、上側蓋体保持部２２０の端部が上側に持ち上げられる。
これにより、蓋側凸部を兼ねるヒンジ部２１３側と本体側凸部１２２との係合が強制的に解除されることになる。
したがって、利用者がウエットティッシュ詰替容器３００内のウエットティッシュを使用するために、蓋部２００をナップウォーマー本体１１０から取り外すときは、この操作ボタン１６１を押すことで容易に取り外すことができる構成となっている。
また、使用者が蓋体２１０を蓋体配置用凹部１２０に装着すると、跳ね上げ部１６３が図において下側に移動し、連続された操作ボタン１６１が図において上側に移動し、装着状態に戻る。
【００３４】
図５（ｂ）は、ナップウォーマー本体１１０のスイッチの概略回路図を示す。
ナップウォーマー本体１１０には、図５（ｂ）に示すように、ヒューズ１８０が設けられており、ヒータ１５０が一定温度以上に上がらないように構成されている。
また、図４及び図５（ａ）（ｂ）に示されるように、脱着装置１６０の動きに連動して加熱を調整するようスイッチ１７０が形成されている。
このスイッチ１７０は、操作ボタン１６１及び跳ね上げ部１６３と共に移動するスイッチ手段１６２と連結されており、使用者がウエットティッシュを取り出すために操作ボタン１６１を押すと、スイッチ手段１６２は、矢印ａの方向へ移動してスイッチ１７０は、接続を解除され、ヒータ１５０への電流の供給を止めたＯＦＦ状態となる。
一方、使用者がウエットティッシュを加温するために蓋体２１０を蓋体配置用凹部１２０に装着すると、跳ね上がり部１６３が押し下げられる動きに連動してスイッチ手段１６２は矢印ｂの方向へ移動して、スイッチ１７０は通電されたＯＮ状態となり、ヒータ１５０が加熱される。
【００３５】
このように脱着装置１６０とスイッチ１７０が連携、すなわち、ヒンジ部２１３及びつまみ２１２ｂと本体側凸部１２２とが係合しているときは、スイッチ１７０がＯＮ状態となり、係合が解除されるとリードスイッチ１７０がＯＦＦ状態と成っている。
このため、ウエットティッシュ詰替容器３００を装着すると、同時にスイッチ１７０がＯＮ状態となり加温部１２１が加温を開始し、その後、ウエットティッシュを使用するために、蓋部２００がナップウォーマー本体１１０から取り外されると、同時にヒータ１５０がＯＦＦとなり加温部１２１を非加温状態とする。
したがって、蓋部２００をナップウォーマー本体１１０から取り外し、図１に示すように加温部１２１が露出しても、利用者が加温部１２１と接触して火傷等をすることを未然に防止することができる。
また、蓋部２００の装着が不充分だった場合には、加温部１２１の加温がされないため誤使用に伴う危険も未然に防ぐことができる。
さらに、ナップウォーマー本体１１０には、ヒータ１５０の通電状態を示す表示手段１４２となる通電ランプが設けられており、装着状態や加熱状態を確認することができる。
【００３６】
このように本実施の形態では、効率的に加温するだけでなく、ウエットティッシュ詰替容器３００内のウエットティッシュの乾燥等による黄変等の変質を防ぐと共に、加温されたウエットティッシュの使用場所が、ナップウォーマー本体１１０の設置場所に限定されないナップウォーマー１００となる。
【００３７】
図６は、ウエットティッシュ詰替容器３００の内部構造を示す概略断面図である。
このウエットティッシュ詰替容器３００は、図３に示すようにポリエチレンフィルムやアルミ等からなる変形可能な容器体３２０を有し、この容器体３２０内には、例えばウエットティッシュＷ１乃至Ｗ４が折り畳まれて配置されている。これら積層配置された複数のウエットティッシュＷ１等は、通常５０枚乃至１００枚程度収納されている。
【００３８】
また、ウエットティッシュＷ１等は、不織布等に防腐剤、保湿剤、保湿可溶化剤、安定化剤、界面活性剤及び溶剤の薬液を含浸させたものである。
薬液が含浸させられているウエットティッシュＷ１等は、図６に示すように、一のウエットティッシュＷ１の一部である端部を挟み込むように他のウエットティッシュＷ２が折り畳まれて配置されている。そして、同様にウエットティッシュＷ２の端部ウエットティッシュＷ３が挟み込むように折り畳まれ、ウエットティッシュＷ３の端部をウエットティッシュＷ４が挟み込むように折り畳まれている。
図６では、説明の都合上、４枚のウエットティッシュＷ１等を示しているが、このようなウエットティッシュＷ１等が上述のように５０枚乃至１００枚程度、同様に折り畳まれている。
【００３９】
このような折り畳み方を例えばＺ折りといい、このようにＺ折りで折り畳まれたウエットティッシュＷ１等をポップアップ方式ともいう。
ポップアップ方式には、Ｚ折りだけでなくウエットティッシュＷ１等を２つに折るＶ折りやＺ折りとＶ折りを混合させたもの等も含まれる。
ポップアップ方式で折られたウエットティッシュＷ１は、利用者が図６のウエットティッシュＷ１の突出した先端部を把持して引き出すと、次に配置されているウエットティッシュＷ２の先端部も引き出され、図６のウエットティッシュＷ１と同様の位置となる。
したがって、絶えず利用者がウエットティッシュＷ１等を把持しやすい状態となる。
【００４０】
このように複数のウエットティッシュＷ１等を収容する容器体３２０には、図３に示すように、ウエットティッシュＷ１等を取り出すために取り出し用開口部３１０が形成されている。
そして、取り出し用開口部３１０を覆うように詰替容器蓋３３０が配置されている。この詰替容器蓋３３０には、図３に示すように突片３３０ａが形成され、この突片３３０ａを利用者が把持して操作することで詰替容器蓋３３０が剥がされ、取り出し用開口部３１０が露出するようになっている。
なお、この詰替容器蓋３３０は、開閉蓋２１１がある場合には、開封時に取り払ってしまえばよい。
【００４１】
（第２の実施の形態）
図７は、本発明の第２の実施の形態にかかるナップウォーマー４００を示す概略斜視図である。
図７に示すように、加温部４２１が、ウエットティッシュ加温器本体である例えばナップウォーマー本体４１０に形成されている。そして、この加温部４２１は、詰替容器配置用凹部４２０の底面に形成されている。
この詰替容器配置用凹部４２０は、図７に示すウエットティッシュ詰替容器３００のウエットティッシュ取り出し口３１０側の面（図７の上面）を配置できる大きさの凹部となっている。また、凹部形状となっていることから、ウエットティッシュ詰替容器３００で、加温部４２１を覆うように載置して確実に位置決めすることができる構成となっている。
【００４２】
加温部４２１の図７の下側には、図４のナップウォーマー本体１１０と同様に、加熱プレートが配置され、この加熱プレートにヒータが接続される構成となっている。
ヒータには、図７の電源コード１４０及び電源プラグ１４１から供給された電力によって加熱し、この熱は加熱プレートを介し加温部４２１に伝わる構成となっており、通電ランプ１４２によって加熱状況を確認可能とされている。
したがって、ウエットティッシュ詰替容器３００のウエットティッシュ取り出し口３１０側の上面を、ナップウォーマー本体４１０の加温部４２１上に載置することで、ウエットティッシュ取り出し口３１０及びその近傍に配置されるウエットティッシュを適温まで速やかに加温できる構成となっている。
【００４３】
また、ナップウォーマー本体４１０には、図７の示すように、その端部に支持部４４０が直立して形成され、この支持部４４０により蓋部４３０が支持されている。
これら支持部４４０及び蓋部４３０等により、ウエットティッシュ詰替容器３００のウエットティッシュ取り出し口３１０を加温部４２１に押し付けるためのウエットティッシュ群収容部押圧手段の一例を構成している。
具体的には、図７に示すように支持部４４０には、ガイド溝４４１が形成され、このガイド溝４４１に沿って、蓋部４３０が上下する構成となっている。
ここで蓋部４３０はバネ等で上方向に付勢されており、利用者等が蓋部４３０の上側から、付勢力に反して下方向に押し付けることで下側に移動する構成となっている。
【００４４】
また、ガイド溝４４１には、図８に示すように溝から突出して形成される溝側係止突起４４１ａが設けられている。
図８は、ガイド溝４４１と蓋部４３０との関係を示す概略部分断面図である。
一方、蓋部４３０には、バネ４３１を介してガイド溝４４１に対して進退する構成となっている蓋側係止突起４３２が設けられている。
このため、バネ４３１でガイド溝４４１側に付勢されている蓋側係止突起４３２とガイド溝４４１の溝側係止突起４４１ａとが係止する構成となっている。
そして、図８に示すように蓋側係止突起４３２は、図において下側に移動する際は、溝側係止突起４４１ａの斜面を乗り越えて容易に移動できるが、反対に上側に移動する際は、溝側係止突起４４１ａに当接し係止され、移動出来ない構成、いわゆるラチェット機構となっている。
【００４５】
このため、図７の蓋部４３０を利用者が下方向に押すと、図８の溝側係止突起４４１ａの斜面を乗り越えて、蓋側係止突起４３２が下側に移動し、蓋部４３０全体も下側に移動する。
そして、利用者が押すのを止めた位置で、溝側係止突起４４１ａと蓋側係止突起４３２とが係止して、上側に付勢されている蓋部４３０をその位置に止め置く構成となっている。
したがって、利用者は、任意の位置に蓋部４３０を配置させることができる。具体的には、図７の加温部４２１にウエットティッシュ詰替容器３００を配置した後、このウエットティッシュ詰替容器３００を加温部４２１に押し付けるのに最も適切な位置まで、蓋部４３０を移動させることができ、ウエットティッシュの使用に伴い、ウエットティッシュ詰替容器３００が小さくなった場合にも適切な位置で止め置くこともできる。
このためウエットティッシュの加温を効率的に行うことができる。
【００４６】
また、ウエットティッシュを使用するために、ウエットティッシュ詰替容器３００をナップウォーマー本体４１０から取り外し後は、この蓋部４３０をナップウォーマー本体４１０に当接するまで下げることで、蓋部４３０はナップウォーマー本体４１０を覆うことになる。
したがって、ナップウォーマー１００の非使用時に、誤って利用者等が加温部４２１に触れ火傷等を負う等の危険を未然に防止することができる。
【００４７】
また、図７に示す解除ボタン４５０を操作することで、図８のガイド溝４４１が右側（矢印方向）に移動し、係止を解除する構成となっている。
したがって、利用者がウエットティッシュ詰替容器３００を、加温部４２１上に載置する場合や、ウエットティッシュ詰替容器３００を取り外して使用する場合等に、蓋部４３０を上側に移動させたいときは、この解除ボタン４５０を押し、ラチェット機構が動作しない状態にして、上側に移動させることができる。
【００４８】
（第３の実施の形態）
図９は、本発明の第３の実施の形態のナップウォーマー５００を示す概略斜視図である。
本実施の形態のナップウォーマー５００の構成は第２の実施の形態に係るナップウォーマー４００の構成と共通する部分があるので、共通する部分は同一符号等として、その説明を省略し、以下相違点を中心に説明する。
【００４９】
本実施の形態のナップウォーマー５００は、図７のナップウォーマー４００と異なり、蓋部５３０が支持部４４０によって支持されておらず、ナップウォーマー本体５１０とヒンジ構造で接続されている。
すなわち、詰替容器配置用凹部４２０にウエットティッシュ詰替容器３００を配置し、ウエットティッシュ詰替容器３００のウエットティッシュ取り出し口３１０側で加温部４２１を覆うように載置する。その後、蓋部５３０を図９の矢印方向に揺動させ、蓋部５３０がウエットティッシュ詰替容器３００を押し付けることで、ウエットティッシュ取り出し口３１０は、適切に加温部４２１に押し付けられ加温される構成となっている。
【００５０】
ヒンジ機構は、具体的には、蓋部５３０の蓋側軸がナップウォーマー本体５１０の軸受け部内に挿入され、蓋側軸が軸受け部内で回動等する構成となっている。また、蓋部５３０は、開く方向にバネ等により付勢されている。
また、これら蓋側軸と軸受け部とには、図８で示すラチェット機構が円弧状に形成され、利用者が蓋部５３０を閉める方向（図９の矢印方向）に移動させると、その位置に止め置くことができる構成となっている。
また、解除ボタン５５０を操作することにより、このラチェット機構を解除し、蓋部５３０を開く方向に自由に移動させることができる構成となっている。
また、未使用時においては、蓋側係止部５３１を本体側係止部５５１に挿入することで、蓋部５３０が閉じた状態とされ、解除ボタン５５０を押すことで、蓋部５３０を開くことができる。
【００５１】
本発明は、上述の各実施の形態に限定されない。ウエットティッシュ詰替容器３００を図示しないウエットティッシュ容器に収容したうえで、ナップウォーマー本体の加温部上に載置してもよい。
また、ウエットティッシュ詰替容器３００のウエットティッシュ取り出し口３２０の面ではなく、側面、例えば図６における左又は右側の面を加温部上に接触するよう載置してもよい。
さらに、上述の各実施の形態は、相互に組み合わせて構成するようにしてもよい。
【００５２】
【発明の効果】
以上述べたように、本発明によれば、効果的に加温するだけでなく、ウエットティッシュ群収容部内のウエットティッシュの変質等を防ぐと共に、加温されたウエットティッシュの使用場所が、ウエットティッシュ加温器の設置場所に限定されないウエットティッシュ加温器を提供することができる。
【図面の簡単な説明】
【図１】本発明の第１の実施の形態に係る、ウエットティッシュ加温器である例えばナップウォーマーを示す概略斜視図である。
【図２】図１のナップウォーマーの蓋部を示す概略斜視図である。
【図３】ウエットティッシュ詰替容器を示す概略斜視図である。
【図４】図１のナップウォーマー本体に蓋部により挟持されたウエットティッシュ詰替容器を装着した状態を示す概略断面図である。
【図５】（ａ）ナップウォーマー本体から蓋部を取り外す状態を示す概略断面図であり、（ｂ）は、スイッチの概略回路図を示す。
【図６】ウエットティッシュ詰替容器の内部構造を示す概略断面図である。
【図７】本発明の第２の実施の形態にかかるナップウォーマーを示す概略斜視図である。
【図８】ガイド溝と蓋部との関係を示す概略部分断面図である。
【図９】本発明の第３の実施の形態のナップウォーマーを示す概略斜視図である。
【符号の説明】
１００、４００、５００・・・ナップウォーマー、１１０、４１０、５１０・・・ナップウォーマー本体、１２０・・・蓋体配置用凹部、１２１，４２１・・・加温部、１２２・・・本体側凸部、１３０・・・上側蓋体保持部用凹部、１４０・・・電源コード、１４１・・・電源プラグ、１４２・・・表示手段、１５０・・・ヒータ、１５１・・・加熱プレート、１６０・・・脱着装置、１６１・・・操作ボタン、１６２・・・スイッチ手段、１６３・・・跳ね上げ部、１７０・・・スイッチ、２００・・・蓋部、２１０・・・蓋体、２１３・・・ヒンジ部、２１１・・・開閉蓋、２１２・・・蓋基部、２１２ａ・・・蓋側取り出し口、２２０・・・上側蓋体保持部、２３０・・・下側蓋体保持部、２３１・・・蓄熱体、２４０・・・ベルト部、３００・・・ウエットティッシュ詰替容器、３１０・・・ウエットティッシュ取り出し口、３２０・・・容器体、３３０・・・詰替容器蓋、３３０ａ・・・突片、４２０・・・詰替容器配置用凹部、４３０・・・蓋部、４３１・・・バネ、４３２・・・蓋側係止突起、４４０・・・支持部、４４１・・・ガイド溝、４４１ａ・・・溝側係止突起、４５０、５５０・・・解除ボタン。
【図１】
2004173860.tif 000003
【図２】
2004173860.tif 000004
【図３】
2004173860.tif 000005
【図４】
2004173860.tif 000006
【図５】
2004173860.tif 000007
【図６】
2004173860.tif 000008
【図７】
2004173860.tif 000009
【図８】
2004173860.tif 000010
【図９】
2004173860.tif 000011